(57)【特許請求の範囲】
【請求項１】
同時の上りリンク送信のための１つ以上のリソース割り当てを含むトリガーフレーム（TF）を生成するように構成され、前記１つ以上のリソース割り当てのそれぞれは、前記リソース割り当てが直交周波数分割多元アクセス（OFDMA）リソース割り当てであるか、マルチユーザ・マルチプル・インプット・マルチプル・アウトプット（MU-MIMO）リソース割り当てであるかの指示と、OFDMAグループ又はMU-MIMOグループのいずれかのアイデンティティとを含み、各リソース割り当ては、前記OFDMAリソース割り当ての帯域幅又は前記MU-MIMOリソース割り当ての帯域幅の指示を含み、前記TFは、マスター局により取得された送信機会の持続時間の指示と、次のTFが前記送信機会内に送信されるか否かの指示とを更に含み、
前記送信機会内に複数のHE（high-efficiency）局から前記同時の上りリンク送信を開始するために、前記TFを前記複数のHE局に送信するように構成された回路を含むマスター局。
【請求項２】
各OFDMAリソース割り当ては、前記複数のHE局のアドレスの１つ以上の指示と、対応するHE局のOFDMAサブチャネルリソース割り当ての１つ以上の指示とを含む、請求項１に記載のマスター局。
【請求項３】
各OFDMAリソース割り当ては、前記OFDMAリソース割り当てにおいて割り当てられた20MHzサブチャネルの数を示す20MHz割り当てサブフィールドを更に含む、請求項２に記載のマスター局。
【請求項４】
前記対応するHE局の前記OFDMAサブチャネルリソース割り当ての前記１つ以上の指示は、前記対応するHE局の前記OFDMAサブチャネルリソース割り当てが最終であるか否か、或いは前記OFDMAサブチャネルリソース割り当ての前記１つ以上の指示が、前記対応するHE局の更なるOFDMAサブチャネルリソース割り当てを含むか否かの指示を更に含む、請求項２に記載のマスター局。
【請求項５】
前記対応するHE局の前記OFDMAサブチャネルリソース割り当ての前記１つ以上の指示は、20MHzサブチャネルの数の位置の指示を更に含む、請求項３に記載のマスター局。
【請求項６】
前記対応するHE局の前記OFDMAサブチャネルリソース割り当ての前記１つ以上の指示は、前記対応するHE局の前記OFDMAサブチャネルリソース割り当ての前記１つ以上の指示の基本リソース単位が26トーンであるか242トーンであるかの指示を更に含む、請求項３に記載のマスター局。
【請求項７】
前記対応するHE局の前記OFDMAサブチャネルリソース割り当ての前記１つ以上の指示は、前記20MHzサブチャネルの数の中の前記対応するHE局に割り当てられた最後のサブチャネルの指示を更に含む、請求項３に記載のマスター局。
【請求項８】
前記20MHz割り当てサブフィールドは、前記OFDMAサブチャネルリソース割り当ての帯域幅を更に示す、請求項３に記載のマスター局。
【請求項９】
前記20MHz割り当てサブフィールドは、ゼロ個の20MHzサブチャネルが前記OFDMAリソース割り当てにおいて割り当てられること、１つの20MHzサブチャネルが前記OFDMAリソース割り当てにおいて割り当てられること、２つの20MHzサブチャネルが前記OFDMAリソース割り当てにおいて前記複数のHE局のうち１つ又は２つのHE局に割り当てられること、及び３つの20MHzサブチャネルが前記OFDMAリソース割り当てにおいて前記複数のHE局のうち１つ又は複数のHE局に割り当てられることを含むグループのうち１つを示す、請求項８に記載のマスター局。
【請求項１０】
各OFDMAリソース割り当ては、前記対応するHE局の前記OFDMAサブチャネルリソース割り当ての前記１つ以上の指示が前のHE局のリソース割り当てと同じリソース割り当てであるか否かの指示を更に含む、請求項２に記載のマスター局。
【請求項１１】
各OFDMAリソース割り当ては、前記複数のHE局のアドレスの１つ以上の指示と、対応するHE局のOFDMAサブチャネルリソース割り当ての幅の１つ以上の指示とを含む、請求項１に記載のマスター局。
【請求項１２】
各OFDMAリソース割り当ては、前記OFDMAリソース割り当てが80MHzの単一のHE局のためのものであるか、それぞれ80MHz未満の複数のHE局のためのものであるかの指示を更に含む、請求項１１に記載のマスター局。
【請求項１３】
各OFDMAリソース割り当ては、前記対応するHE局の前記OFDMAサブチャネルリソース割り当ての帯域幅と共に位置の指示を更に含む、請求項１２に記載のマスター局。
【請求項１４】
前記マスター局は、アクセスポイント、IEEE（Institute  of  Electrical  and  Electronic  Engineers）802.11アクセスポイント、IEEE802.11局、IEEE802.11axアクセスポイント及びIEEE802.11ax局を含むグループのうち１つである、請求項１に記載のマスター局。
【請求項１５】
各リソース割り当ては、１つ以上のHE局の数の指示を含む、請求項１に記載のマスター局。
【請求項１６】
前記回路に結合されたメモリと、前記回路に結合された１つ以上のアンテナとを更に含む、請求項１に記載のマスター局。
【請求項１７】
アクセスポイント（AP）により実行される方法であって、
同時の上りリンク送信のための１つ以上のリソース割り当てを含むトリガーフレーム（TF）を生成するステップであり、前記１つ以上のリソース割り当てのそれぞれは、前記リソース割り当てが直交周波数分割多元アクセス（OFDMA）リソース割り当てであるか、マルチユーザ・マルチプル・インプット・マルチプル・アウトプット（MU-MIMO）リソース割り当てであるかの指示と、OFDMAグループ又はMU-MIMOグループのいずれかのアイデンティティとを含み、各リソース割り当ては、前記OFDMAリソース割り当ての帯域幅又は前記MU-MIMOリソース割り当ての帯域幅の指示を含み、前記TFは、前記APにより取得された送信機会の持続時間の指示と、次のTFが前記送信機会内に送信されるか否かの指示とを更に含むステップと、
前記送信機会内に複数のHE（high-efficiency）局から前記同時の上りリンク送信を開始するために、前記TFを前記複数のHE局に送信するステップと
を含む方法。
【請求項１８】
各OFDMAリソース割り当てが、前記複数のHE局のアドレスの１つ以上の指示と、対応するHE局のOFDMAサブチャネルリソース割り当ての１つ以上の指示とを含む、請求項１７に記載の方法。
【請求項１９】
１つ以上のリソース割り当てを含むトリガーフレーム（TF）をマスター局から受信するように構成され、前記１つ以上のリソース割り当てのそれぞれは、前記リソース割り当てが直交周波数分割多元アクセス（OFDMA）リソース割り当てであるか、マルチユーザ・マルチプル・インプット・マルチプル・アウトプット（MU-MIMO）リソース割り当てであるかの指示と、OFDMAグループ又はMU-MIMOグループのいずれかのアイデンティティとを含み、各リソース割り当ては、前記OFDMAリソース割り当ての帯域幅又は前記MU-MIMOリソース割り当ての帯域幅の指示を含み、前記TFは、送信機会の持続時間の指示と、次のTFが前記送信機会内に送信されるか否かの指示とを更に含み、前記TFに従ってデータを前記マスター局に送信するように構成された回路を含む局。
【請求項２０】
各OFDMAリソース割り当ては、１つ以上のHE局のアドレスの１つ以上の指示と、対応するHE局のOFDMAサブチャネルリソース割り当ての１つ以上の指示とを含む、請求項１９に記載の局。
【請求項２１】
前記回路に結合されたメモリと、前記回路に結合された１つ以上のアンテナとを更に含む、請求項１９に記載の局。
【請求項２２】
１つ以上のプロセッサによる実行のための命令を含むコンピュータプログラムであって、
前記命令は、マスター局に対して、
同時の上りリンク送信のための１つ以上のリソース割り当てを含むトリガーフレーム（TF）を生成させ、前記１つ以上のリソース割り当てのそれぞれは、前記リソース割り当てが直交周波数分割多元アクセス（OFDMA）リソース割り当てであるか、マルチユーザ・マルチプル・インプット・マルチプル・アウトプット（MU-MIMO）リソース割り当てであるかの指示と、OFDMAグループ又はMU-MIMOグループのいずれかのアイデンティティとを含み、各リソース割り当ては、前記OFDMAリソース割り当ての帯域幅又は前記MU-MIMOリソース割り当ての帯域幅の指示を含み、前記TFは、マスター局により取得された送信機会の持続時間の指示と、次のTFが前記送信機会内に送信されるか否かの指示とを更に含み、
前記送信機会内に複数のHE（high-efficiency）局から前記同時の上りリンク送信を開始するために、前記TFを前記複数のHE局に送信させる
ように前記１つ以上のプロセッサを構成するコンピュータプログラム。
【請求項２３】
各OFDMAリソース割り当ては、前記複数のHE局のアドレスの１つ以上の指示と、対応するHE局のOFDMAサブチャネルリソース割り当ての１つ以上の指示とを含む、請求項２２に記載のコンピュータプログラム。
【請求項２４】
請求項２２又は２３に記載のコンピュータプログラムを記憶したコンピュータ読み取り可能記憶媒体。
【発明の詳細な説明】
【技術分野】
【０００１】
［優先権］
この出願は、2015年1月7日に出願された米国仮特許出願第62/100,605号の優先権を主張して、2015年3月26日に出願された米国特許出願第14/669,265の優先権を主張し、これらの全内容を援用する。
【０００２】
［技術分野］
実施例は、無線ローカルエリアネットワーク（WLAN：wireless  local-area  network）における無線通信に関する。いくつかの実施例は、IEEE（Institute  of  Electrical  and  Electronic  Engineers）802.11に関する。いくつかの実施例は、high-efficiency  WLAN（HEW）に関する。いくつかの実施例は、IEEE802.11axに関する。いくつかの実施例は、上りリンクマルチユーザOFMDAデータ送信を開始するために、マスター局により複数のHEW局にトリガーフレームとして送信される直交周波数分割多元アクセス（OFDMA：orthogonal  frequency  division  multi-access）及び／又はマルチプル・インプット・マルチプル・アウトプット（MIMO：multiple-input  multiple-output）リソース割り当てに関する。
【背景技術】
【０００３】
WLANのリソースの効率的な使用は、帯域幅及び許容可能な応答時間をWLANのユーザに提供するために重要である。しかし、WLANのリソースを割り当てることは、WLANのリソースのいくつかを使用することを必要とすることがあり、これは、リソースの使用を低効率にする可能性がある。
【０００４】
さらに、しばしば１つより多くの局がWLANにおいて使用中であることがある。例えば、HEWと呼ばれるIEEE802.11axは、IEEE802.11のレガシー版と使用される必要がある可能性がある。
【０００５】
したがって、リソースをWLANのユーザに割り当てるための方法、装置及びコンピュータ読み取り可能媒体についての一般的なニーズが存在する。
【図面の簡単な説明】
【０００６】
この開示は、添付図面の図面において例により示され、限定ではない。図面において、同様の参照符号は、同様の要素を示す。
【図１】いくつかの実施例による無線ローカルエリアネットワーク（WLAN）を示す。
【図２】例示的な実施例によるトリガーフレームを示す。
【図３】例示的な実施例によるトリガーフレーム内の共通情報フィールドを示す。
【図４】例示的な実施例によるトリガーフレーム内のリソース割り当て情報フィールドを示す。
【図５】例示的な実施例に従ってOFDMAに基づくリソース割り当て指示のために使用される階層的シグナリングを示す。
【図６】例示的な実施例によるリソース割り当て情報のための別のシグナリング手法を示す。
【図７】例示的な実施例によるリソース割り当て情報のための別のフォーマットを示す。
【図８】いくつかの実施例によるHEW局及び／又はマスター局を示す。
【発明を実施するための形態】
【０００７】
以下の説明及び図面は、当業者が実施例を実施することを可能にするために、具体的な実施例を十分に示す。他の実施例は、構造的、論理的、電気的、処理的及び他の変更を組み込んでもよい。いくつかの実施例の部分及び機能は、他の実施例のものに含まれてもよく、或いは置換されてもよい。請求項に記載の実施例は、これらの請求項の全ての利用可能な均等物を含む。
【０００８】
図１は、いくつかの実施例による無線ローカルエリアネットワーク（WLAN）を示す。WLANは、アクセスポイント（AP：access  point）でもよいマスター局102と、複数のhigh-efficiency  wireless（HEW）（例えば、IEEE802.11ax）局104と、複数のレガシー（例えば、IEEE802.11n/ac）デバイス106とを含んでもよい基本サービスセット（BSS：basis  service  set）100を含んでもよい。
【０００９】
マスター局102は、送信及び受信のために802.11プロトコルを使用するアクセスポイント（AP）でもよい。マスター局102は、基地局でもよい。マスター局102は、基地局でもよい。マスター局102は、HEWマスター局でもよい。マスター局102は、他のプロトコル及び802.11プロトコルを使用してもよい。802.11プロトコルは、802.11axでもよい。802.11プロトコルは、直交周波数分割多元アクセス（OFDMA：Orthogonal  Frequency-Division  Multiple  Access）、時分割多元アクセス（TDMA：time  division  multiple  access）及び／又は符号分割多元アクセス（CDMA：code  division  multiple  access）を使用することを含んでもよい。802.11プロトコルは、多元アクセス技術を含んでもよい。例えば、802.11プロトコルは、空間分割多元アクセス（SDMA：space-division  multiple  access）及び／又はマルチユーザ（MU）・マルチプル・インプット・マルチプル・アウトプット（MIMO：multiple-input  and  multiple-output）（MU-MIMO：multi-user  multiple-input  and  multiple-output）を含んでもよい。
【００１０】
HEW局104は、802.11ax又は802.11の他の標準に従って動作してもよい。レガシーデバイス106は、802.11a/g/ag/n/ac又は他のレガシー無線通信標準の１つ以上に従って動作してもよい。HEW局104は、HE（high  efficiency）局でもよい。レガシーデバイス106は、局でもよい。
【００１１】
HEW局104は、セルラ電話、ハンドヘルド無線デバイス、ワイヤレス眼鏡、ワイヤレス時計、無線パーソナルデバイス、タブレット、又は802.11axのような802.11プロトコル若しくは他の無線プロトコルを使用して送信及び受信し得る他のデバイスのような無線送信及び受信デバイスでもよい。
【００１２】
BSS100は、プライマリチャネル及び１つ以上のセカンダリチャネル又はサブチャネルで動作してもよい。BSS100は、１つ以上のマスター局102を含んでもよい。実施例によれば、マスター局102は、セカンダリチャネル若しくはサブチャネル又はプライマリチャネルのうち１つ以上でHEW局104のうち１つ以上と通信してもよい。例示的な実施例では、マスター局102は、プライマリチャネルでレガシーデバイス106と通信する。例示的な実施例では、マスター局102は、同時に、セカンダリチャネルのうち１つ以上でHEW局104のうち１つ以上と通信し、プライマリチャネルのみを利用してセカンダリチャネルのいずれも利用せずにレガシーデバイス106のうち１つ以上と通信するように構成されてもよい。
【００１３】
マスター局102は、レガシーIEEE802.11通信技術に従ってレガシーデバイス106と通信してもよい。例示的な実施例では、マスター局102はまた、レガシーIEEE802.11通信技術に従ってHEW局104と通信するように構成されてもよい。レガシーIEEE802.11通信技術は、IEEE802.11axの前のいずれかのIEEE802.11通信技術を示してもよい。
【００１４】
いくつかの実施例では、HEWフレームは、チャネル又はサブチャネルと同じ帯域幅を有するように構成可能でもよく、帯域幅は、20MHz、40MHz、80MHz、160MHz若しくは320MHzの連続帯域幅又は80+80MHz（160MHz）の不連続帯域幅のうち１つでもよい。いくつかの実施例では、1MHz、1.25MHz、2.5MHz、5MHz及び10MHzの帯域幅又はこれらの組み合わせも使用されてもよい。例示的な実施例では、チャネル又はサブチャネルは、利用可能な帯域幅以下のいずれかのサイズでもよい。例示的な実施例では、サブチャネル又はチャネルは、不連続でもよい。HEWフレームは、複数の空間ストリームを送信するために構成されてもよい。
【００１５】
他の実施例では、マスター局102、HEW局104及び／又はレガシーデバイス106はまた、CDMA2000、CDMA2000  1X、CDMA2000  EV-DO、IS-2000（Interim  Standard  2000）、IS-95（Interim  Standard  95）、IS-856（Interim  Standard  856）、LTE（Long  Term  Evolution）、GSM（登録商標）（Global  System  for  Mobile  communications）、EDGE（Enhanced  Data  rates  for  GSM  Evolution）、GERAN（GSM  EDGE）、IEEE802.16（すなわち、WiMAX（Worldwide  Interoperability  for  Microwave  Access））、Bluetooth（登録商標）又は他の技術のような異なる技術を実装してもよい。
【００１６】
OFDMAシステム（例えば、802.11ax）では、アソシエーションされたHEW局104は、BSS100（例えば、80MHzで動作することができる）のサブチャネル（20MHzでもよい）で動作してもよい。HEW局104は、電力節約モードに入ってもよく、電力節約モードから出るときに、HEW局104は、ビーコンを受信することにより、BSS100と再同期する必要があってもよい。ビーコンがプライマリチャネルのみで送信される場合、HEW局104は、ビーコンを受信することができるように、電力節約モードから出るときにプライマリチャネルに移動して同調する必要がある。次に、HEW局104は、20MHzでもよいその動作サブチャネルに戻って再同調する必要があるか、或いはマスター局102に新たな動作サブチャネルを知らせるためにハンドシェイク手順に従う必要がある。例示的な実施例では、HEW局104は、チャネル切り替え中にいくつかのフレームを失うリスクを有してもよい。
【００１７】
例示的な実施例では、HEW局104及び／又はマスター局102は、図１〜８に関してここに開示される実施例のうち１つ以上によるトリガーフレームに従って生成、送信、受信及び動作するように構成される。
【００１８】
いくつかの実施例は、high-efficiency  Wi-Fi／WLAN及びHEW通信を含むhigh-efficiency無線通信に関する。いくつかのIEEE802.11ax（HEW）の実施例に従って、マスター局102は、HEW制御期間（すなわち、送信機会（TXOP：transmission  opportunity））に媒体の排他的制御を受けるため、（例えば、コンテンション期間中に）無線媒体を競合するように構成されてもよいマスター局として動作してもよい。マスター局102は、HEW制御期間の開始時にHEWマスター同期送信又はトリガーフレームを送信してもよい。マスター局102は、TXOPの持続時間を送信してもよい。HEW制御期間において、HEW局104は、非コンテンションに基づく多元アクセス技術に従ってマスター局102と通信してもよい。これは、デバイスが多元アクセス技術ではなく、コンテンションに基づく通信技術に従って通信する従来のWLAN通信とは異なる。HEW制御期間中に、マスター局102は、１つ以上のHEWフレームを使用してHEW局104と通信してもよい。HEW制御期間中に、レガシーデバイス106は、通信を控えてもよい。いくつかの実施例では、HEWマスター同期送信は、HEW制御及びスケジュール送信又はトリガーフレームと呼ばれてもよい。
【００１９】
いくつかの実施例では、HEW制御期間中に使用される多元アクセス技術は、スケジューリングされたOFDMA技術でもよいが、これは要件ではない。いくつかの実施例では、多元アクセス技術は、TDMA技術又は周波数分割多元アクセス（FDMA：frequency  division  multiple  access）技術でもよい。いくつかの実施例では、多元アクセス技術は、SDMA技術でもよい。
【００２０】
マスター局102はまた、レガシーのIEEE802.11通信技術に従ってレガシーデバイス106と通信してもよい。いくつかの実施例では、マスター局102はまた、レガシー802.11通信技術に従ってHEW制御期間外にHEW局104と通信するように構成可能でもよいが、これは要件ではない。
【００２１】
図２は、例示的な実施例によるトリガーフレーム（TF：trigger  frame）200を示す。トリガーフレーム200は、フレーム制御202フィールドと、持続時間204フィールドと、受信機アドレス（RA：receiver  address）206フィールドと、送信機アドレス（TA：transmitter  address）208フィールドと、共通情報210フィールドと、OFDMA又はMU-MIMO214フィールドと、リソース割り当て情報212フィールドと、フレーム検査シーケンス（FCS：frame  check  sequence）222フィールドとを含んでもよい。例示的なオクテット数222は、各フィールドの上に示されている。例えば、持続時間204フィールドは、2オクテットでもよい。TBDは、オクテットの数222が未決定（TBD：to  be  determined）であることを示してもよい。
【００２２】
フレーム制御202フィールドは、トリガーフレーム200がタイプ及びサブタイプサブフィールド内の特定の値により制御フィールドであることを示してもよい。持続時間204フィールドは、上りリンクマルチユーザ送信機会（UL  MU  TXOP：uplink  multi-user  transmission  opportunity）の持続時間でもよい。TF200は、１つ以上のHEW局104のためのものでもよい。UL  MU  TXOPの持続時間は、マスター局102からの確認応答（ACK：acknowledgement）又はブロックACK（BA：block  ACK）の終わりまででもよく、マスター局102は、UL  MU  TXOPにおいてHEW局104により送信されたデータに応じてACK又はBAを送信する。
【００２３】
RA206フィールドは、OFDMAサブチャネル又は空間ストリームを割り当てられた最初のHEW局104の受信機アドレスを示してもよく、そのリソース割り当ては、リソース割り当て情報212.1フィールドの最初のサブフィールドに示される。例えば、RA206フィールドは、PAID／AID402.1（図４）が示すものと同じHEW局104を示してもよい。
【００２４】
TA208フィールドは、トリガーフレーム200を送信したマスター局102のアドレスを示してもよい。RAフィールド206により示されるHEW局104は、マスター局102とアソシエーションされてもよい。共通情報210フィールドは、図３に関して説明する複数のサブフィールドで構成されてもよい。
【００２５】
OFDMA又はMU-MIMO214フィールドは、OFDMA又はMU-MIMOグループ識別情報（ID）216サブフィールドと、OFDMA又はMU-MIMO帯域幅（BW：bandwidth）218サブフィールドと、STA数220サブフィールドとを含むサブフィールドを含んでもよい。例示的なビット数224は、各サブフィールドの下に示されている。OFDMA又はMU-MIMOグループID216サブフィールドは、HEW局104が属し得るOFDMAグループ又はMU-MIMOグループを識別してもよい。HEW局104は、対応するリソース割り当て情報212がHEW局104の割り当てを含むか否かを決定するために、OFDMA又はMU-MIMO214フィールドを検査するように構成されてもよい。OFDMA又はMU-MIMO帯域幅（BW）218サブフィールドは、リソース割り当て情報212の帯域幅を示してもよい。例えば、OFDMAでは、OFDMA又はMU-MIMO  BW218サブフィールドは、割り当てが80MHzについてであるか、160MHzについてであるか、320MHzについてであるかを示してもよい。STA数220サブフィールドは、リソース割り当て情報212フィールドにおいてリソースを割り当てられた局の数を示してもよい。OFDMA又はMU-MIMO214フィールドは、リソース割り当て情報212フィールド毎に１回繰り返されてもよい。
【００２６】
リソース割り当て情報212フィールドについては図４に関して説明する。FCS220フィールドは、TF200の正確性を検証するために使用され得る情報を含んでもよい。例えば、FCS220は、巡回冗長コード（CRC：cyclic  redundancy  code）を含んでもよい。
【００２７】
図３は、例示的な実施例によるトリガーフレーム内の共通情報210フィールドを示している。共通情報210フィールドは、カウントダウン又は次のTFまでの時間302サブフィールドと、予備304サブフィールドとを含むサブフィールドを含んでもよい。例示的なビット数306は、各サブフィールドの下に示されている。カウントダウン／次のTFまでの時間302サブフィールドは、次のTF200までのカウントダウン値を示してもよい。マスター局102により送信され得るビーコンフレーム（図示せず）に示されるビーコン間隔（BI：beacon  interval）内にスケジューリングされたTFの総数200が存在してもよい。ビーコンフレームは、周期的／非周期的TFフィールドで構成されてもよく、カウントダウン値は、周期的／非周期的TFフィールドの値がTF200が周期的であることを示すか否かを示されてもよい。1又は真の値は、TF200が周期的であることを示してもよい。
【００２８】
例示的な実施例では、16個のTF200の最大値がBI内にスケジューリングされてもよく、これは、2〜4msの持続時間を有する典型的なTXOPのBIの約半分の持続時間を有してもよい。周期的／非周期的TFフィールドの値がTF200が非周期的であることを示す場合、カウントダウン／次のTFまでの時間302サブフィールドは、次にスケジューリングされたTF200までの時間値を示してもよく、時間は時間単位（TU：time  unit）で表されてもよい。
【００２９】
図４は、例示的な実施例によるトリガーフレーム200内のリソース割り当て情報212フィールドを示している。リソース割り当て情報212フィールドは、20MHz割り当て406フィールドと、部分アソシエーション識別情報（PAID：partial  association  identification）又はアソシエーション識別情報（AID：association  identification）402フィールドと、OFDMA割り当て404フィールドとを含んでもよい。リソース割り当て情報212フィールドは、PAID又はAID402フィールドと、OFDMA割り当て404フィールドとの複数の対を含んでもよい。
【００３０】
20MHz割り当て406フィールドは、20MHz割り当ての総数を示してもよく、20MHz割り当ての局の数は、リソース割り当て情報212フィールドについてのものである。例示的な実施例では、20MHz割り当て406フィールドは、2ビット418でもよい。例示的な実施例では、20MHz割り当て406フィールドの2ビット418の値は、以下の割り当てを表してもよい。
【００３１】
【表１】
0006732747.tif 000002
例示的な実施例では、全ての20MHzチャネルBW割り当ては、局へのいずれかのサブチャネル割り当ての指示の前にシグナリングされる。PAID又はAID402フィールドは、対応するOFDMA割り当て404フィールドに示される割り当てのためのHEW局104のアイデンティティでもよい。例示的な実施例では、PAID又はAID402フィールドは、14ビット418でもよい。PAID又はAID402により識別されるHEW局104は、OFDMA又はMU-MIMOグループID216（図２）において識別されるグループの一部でもよい。最初のPAID又はAID402は、RA206（図２）により識別される同じHEW局104を識別してもよい。
【００３２】
OFDMA割り当て404フィールドは、割り当て帯域幅（BW）408サブフィールドと、最終割り当て410サブフィールドと、チャネルBWインデックス412サブフィールドと、トーンBWインデックス414サブフィールドと、トーン割り当て416サブフィールドとを含んでもよい。例示的なビット数420は、各サブフィールドの下に示されている。例示的な実施例では、OFDMA割り当て404フィールドは、2〜9ビット418でもよい。
【００３３】
割り当てBW408サブフィールドは、対応するPAID又はAID402フィールドにより識別されるHEW局104に割り当てられたサブチャネルBWを示してもよい。例示的な実施例では、割り当てBW408サブフィールドは、示された割り当てによって表２に示す値を有してもよい。
【００３４】
【表２】
0006732747.tif 000003
割り当てBW408サブフィールドは、242トーンの割り当てのシグナリングについて無視されてもよい。最終割り当て410サブフィールドは、マスター局102が26トーン又は242トーンの割り当てBWについてトーンの連続的又は不連続的なセットを割り当てたか否かを示すビットでもよい。例えば、11の割り当てBW408の値では、26トーンの４つのセットが互いに隣接して割り当てられてもよく、或いは不連続方式で割り当てられてもよい。最終割り当て410サブフィールドが不連続な割り当てを示す場合、マスター局102は、0に設定された最終割り当て410サブフィールドによるそれぞれ26トーンの２つのサブチャネルと、1に設定された最終割り当て410サブフィールドによるそれぞれ26トーンの他の２つのサブチャネルとの最初の割り当てを示してもよい。
【００３５】
例示的な実施例では、割り当てBW408サブフィールドについて値00、01及び10の場合、最終割り当て410サブフィールドは無視されるか、或いは存在しなくてもよい。割り当てBW408サブフィールドの値11の場合、最終割り当て410サブフィールドは、常にOFDMA割り当て404フィールドの一部でもよい。例示的な実施例では、最終割り当て410サブフィールドが1に設定された場合、これは、それぞれ26トーンの４つのサブチャネルが連続方式で割り当てられることを意味する。
【００３６】
以下に、いくつかの実施例に従って例を説明する。
【００３７】
割り当てBW408サブフィールドの値が11であり、最終割り当て410サブフィールドの値が0である場合、PAID又はAID402により識別されるHEW局104が、前のHEW局104の割り当てに続いて２つの26トーンのサブチャネルを割り当てられる。割り当てBW408サブフィールドの値が11であり、最終割り当て410サブフィールドの値が1である場合、PAID又はAID402により識別されるHEW局104は、前のHEW局104の割り当てに続いて連続的に全ての４つのサブチャネルを割り当てられる。
【００３８】
チャネルBWインデックス412サブフィールドにより示される242トーンの割り当てが存在する場合、最終割り当て410サブフィールドの0の値は、同じHEW局104について後続の242トーン割り当てが存在することを示す。
【００３９】
チャネルBWインデックス412サブフィールド、トーンBWインデックス414サブフィールド及びトーン割り当て416サブフィールドについて、図５に関して説明する。図５は、例示的な実施例に従ってOFDMAに基づくリソース割り当て指示のために使用される階層的シグナリング500を示している。図５には、20MHzチャネル502、トーン帯域幅504、トーン割り当て506及びビット508、510、512が示されている。
【００４０】
チャネルBWインデックス412サブフィールドは、80MHz動作BW内の４つの20MHzチャネル502からHEW局104に割り当てられた20MHzチャネル502のインデックスを示してもよい。チャネルBWインデックス412サブフィールドは、HEW局104のための242トーンの割り当て及び26トーンの割り当てによる最初のHEW局104の指示について含まれてもよい。最初のHEW局104の後のHEW局104のリソース割り当ての指示について、チャネルBWインデックス412サブフィールドは無視されてもよい。チャネルBWインデックス412サブフィールドは、2ビット508でもよい。
【００４１】
トーンBWインデックス414サブフィールドは、HEW局104に割り当てられた26トーン504.1又は242トーン504.2のいずれかの基本リソース単位を示してもよい。トーンBWインデックス414サブフィールドは、階層的シグナリング500の第２の層を表してもよい。例示的な実施例では、トーンBWインデックス414サブフィールドが0に設定された場合、これは、マスター局102が26トーンの基本リソース単位を割り当てることを示す。トーンBWインデックス414サブフィールドが1に設定された場合、これは、基本リソース単位が242トーン又は20MHzチャネルBWであることを示す。トーンBWインデックス414サブフィールドは、1ビット510でもよい。
【００４２】
例示的な実施例では、トーン割り当て416サブフィールドは、対応するHEW局104に割り当てられた最後のサブチャネルを示す。トーン割り当て416サブフィールドは、3ビット512でもよい。HEW局104は、トーン割り当て416サブフィールドをデコードし、割り当てBW408サブフィールドに基づいて、HEW局104に割り当てられたサブチャネルの前の数を解釈してもよい。例示的な実施例では、10に設定された割り当てBW408サブフィールドで（表２参照）、トーン割り当て416サブフィールドの値が010  506.3であり、割り当てがリソース割り当て情報212の最初の割り当てである場合、HEW局104は、インデックス000、001及び010による３つの26トーンのサブチャネル（3*26トーン）がHEW局104に割り当てられると解釈する。この場合、チャネルBWインデックス412サブフィールドは、00、01、10又は11のいずれか１つでもよく、トーンBWインデックス414サブフィールドは、26トーン504.1について0である。
【００４３】
トーンBWインデックス414サブフィールドが1に設定された場合、トーン割り当て416サブフィールドは無視されてもよい。HEW局104に割り当てられた最初の26トーンの指示の場合、割り当てられたサブチャネルの数及び範囲が割り当てBW408サブフィールドから取得され得るため、トーン割り当て416フィールドは無視されてもよい。
【００４４】
図６は、例示的な実施例によるリソース割り当て情報212のための別のシグナリング手法600を示している。図６には、PAID又はAID402フィールドと、OFDMA割り当て404フィールドと、同一割り当て602フィールドと、ビット604が示されている。同一割り当て602フィールドは、次のPAID又はAID402により示されるHEW局104の割り当てがOFDMA割り当て404と同一であることを示すために、各OFDMA割り当て404フィールドと共に含まれてもよい。例えば、割り当てが同一（例えば、1又は真）であることを同一割り当て602.1が示す場合、PAID又はAID402.2により示されるHEW局104の割り当ては、PAID又はAID402.1により示されるHEW局104の割り当てと同一である。同一割り当ては、リソース割り当てが後続の242トーンの割り当てにおいて26トーン及び割り当てに関して同じであることを意味してもよい。例えば、同一割り当ては、26トーンの３つのセットの後続の割り当てが26トーンの次の３つのセットに対するものであること、又は242トーンの後続の割り当てが次の20MHzチャネル内の242トーンの割り当てに対するものであることを意味してもよい。
【００４５】
図７は、例示的な実施例によるリソース割り当て情報700フィールドの別のフォーマットを示している。リソース割り当て情報700フィールドは、SU又はMU割り当て702フィールドと、PAID又はAID704フィールドと、同一割り当て706フィールドと、広BW割り当て708フィールドと、チャネルBWインデックス又はOFDMA割り当て710フィールドと、OFDMA割り当て712フィールドとを含んでもよい。ビット714は、フィールドのそれぞれの例示的なビット数でもよい。
【００４６】
SU／MU割り当て702フィールドは、１つのHEW局104又は１つより多くのHEW局104への80MHzチャネルBWの割り当てを示してもよく、これは、モードIサポートでもよい。SU割り当ては、SU又はMU割り当て702フィールドにおいて0の値で示されてもよい。SU割り当てでは、後続のPAID／AID704.1フィールドのみが有効であり、全ての他のフィールドは無視される。
【００４７】
同一割り当て706フィールドは、PAID／AID704フィールドにより識別されるHEW局104のものと同一の割り当てを示してもよい。同一割り当ては、前のHEW局104の割り当てと同じ数のトーンの割り当てを示してもよく、これは、広BW割り当て708フィールドの値により示されてもよい。
【００４８】
広BW割り当て708フィールドは、１つ以上のHEW局104へのより広い帯域幅割り当ての選択肢を示す。例示的な実施例では、このフィールドの2ビットの値は、表３に従った割り当てを示す。
【００４９】
【表３】
0006732747.tif 000004
広BW割り当て708フィールドの値が00、01又は10である場合、後続のフィールドは、チャネルBWインデックス710フィールドとして解釈される。OFDMA割り当て712フィールドは、図４に関して説明した割り当てBW408サブフィールドと、最終割り当て410サブフィールドと、チャネルBWインデックス412サブフィールドと、トーンBWインデックス414サブフィールドと、トーン割り当て416サブフィールドとを含んでもよい。例示的なビット数420は、各サブフィールドの下に示されている。
【００５０】
図８は、いくつかの実施例によるHEW局及び／マスター局800を示している。HEW局及び／又はマスター局800は、HEW局104（図１）又はマスター局102（図１）のような１つ以上の他のHEWデバイスと通信し、レガシーデバイス106（図１）と通信するように構成されてもよいHEW準拠のデバイスでもよい。HEW局104及びマスター局102はまた、HEWデバイスとも呼ばれてもよい。HEW局及び／又はマスター局800は、マスター局102（図１）又はHEW局104（図１）として動作するのに適してもよい。実施例によれば、HEW局及び／又はマスター局800は、とりわけ、アンテナ801のような送信／受信素子、トランシーバ802、物理レイヤ回路（PHY）804及び媒体アクセス制御レイヤ回路（MAC）806を含んでもよい。PHY804及びMAC806は、HEW準拠のレイヤでもよく、１つ以上のレガシーIEEE802.11標準にも準拠してもよい。MAC806は、とりわけ、物理プロトコルデータユニット（PPDU：physical  protocol  data  unit）を構成するように構成されてもよく、PPDUを送信及び受信するように構成されてもよい。HEW局及び／又はマスター局800はまた、ここに記載の様々な動作を実行するように構成された他の回路808及びメモリ810を含んでもよい。回路808は、ハードウェア処理回路でもよい。回路808は、トランシーバ802に結合されてもよく、これは、送信／受信素子801に結合されてもよい。図８は、別々の構成要素として回路808及びトランシーバ802を示しているが、回路808及びトランシーバ802は、電子パッケージ又はチップ内に一緒に統合されてもよい。
【００５１】
いくつかの実施例では、MAC806は、HEW制御期間に媒体の制御を受けてHEW  PPDUを構成するためにコンテンション期間中に無線媒体を競合するように構成されてもよい。いくつかの実施例では、MAC806は、チャネルコンテンション設定、送信電力レベル及びクリアチャネル評価（CCA：clear  channel  assessment）レベルに基づいて無線媒体を競合するように構成されてもよい。
【００５２】
PHY804は、HEW  PPDUを送信するように構成されてもよい。PHY804は、変調／復調、アップコンバート／ダウンコンバート、フィルタリング、増幅等のための回路を含んでもよい。いくつかの実施例では、ハードウェア処理回路808は、１つ以上のプロセッサを含んでもよい。ハードウェア処理回路808は、RAM又はROMに記憶されている命令に基づいて、或いは特殊目的回路に基づいて、機能を実行するように構成されてもよい。いくつかの実施例では、ハードウェア処理回路808は、図１〜８に関してここに開示した実施例のうち１つ以上に従って、トリガーフレームに従って生成、送信、受信及び動作するように構成されてもよい。
【００５３】
いくつかの実施例では、２つ以上のアンテナ801は、PHY804に結合され、HEWパケットの送信を含む信号を送信及び受信するように構成されてもよい。トランシーバ802は、HEW  PPDUのようなデータと、HEW局及び／又はマスター局800がパケットに含まれる設定に従ってチャネルコンテンション設定を適合すべき指示を含むパケットとを送信及び受信してもよい。メモリ810は、図１〜８に関してここに開示した実施例のうち１つ以上に従って、トリガーフレームに従って生成、送信、受信及び動作するための動作を実行するように他の回路を構成するための情報を記憶してもよい。
【００５４】
いくつかの実施例では、HEW局及びマスター局800は、マルチキャリア通信チャネル上でOFDMA通信信号を使用して通信するように構成されてもよい。いくつかの実施例では、HEW局及び／又はマスター局800は、IEEE802.11-2012、802.11n-2009、802.11ac-2013、802.11axを含むIEEE（Institute  of  Electrical  and  Electronics  Engineers）標準、DensiFi、WLANのための標準及び／又は提案仕様、又は図１に関して記載した他の標準のような１つ以上の特定の通信プロトコルに従って通信するように構成されてもよいが、開示の実施例の範囲はこの点に限定されず、HEW局及び／又はマスター局800はまた、他の技術及び標準に従って通信を送信及び／又は受信することに適してもよい。いくつかの実施例では、HEW局及び／又はマスター局800は、802.11n又は802.11acの４倍のシンボル持続時間を使用してもよい。
【００５５】
いくつかの実施例では、HEW局及び／又はマスター局800は、パーソナルデジタルアシスタント（PDA）、無線通信機能付きのラップトップ若しくはポータブルコンピュータ、ウェブタブレット、無線電話、スマートフォン、無線ヘッドセット、ページャ、インスタントメッセージングデバイス、デジタルカメラ、アクセスポイント、テレビ、医療デバイス（例えば、心拍数モニタ、血圧モニタ等）、基地局、802.11若しくは802.16のような無線標準用の送信／受信デバイス、又は無線で情報を受信及び／又は送信し得る他のデバイスのような、ポータブル無線通信デバイス又はモバイルデバイスの一部でもよい。いくつかの実施例では、ポータブル無線通信デバイスは、キーボード、ディスプレイ、不揮発性メモリポート、複数のアンテナ801、グラフィックプロセッサ、アプリケーションプロセッサ、スピーカ及び他のポータブル無線通信デバイス要素のうち１つ以上を含んでもよい。ディスプレイは、タッチスクリーンを含むLCDスクリーンでもよい。
【００５６】
アンテナ801は、例えば、ダイポールアンテナ、モノポールアンテナ、パッチアンテナ、ループアンテナ、マイクロストリップアンテナ、又はRF信号の送信に適した他の種類のアンテナを含み、１つ以上の指向性又は無指向性アンテナを含んでもよい。いくつかのMIMO（multiple-input  multiple-output）の実施例では、アンテナ801は、空間ダイバーシチ、及び生じ得る異なるチャネル特性を利用するために効果的に分離されてもよい。
【００５７】
HEW局及び／又はマスター局800は、複数の別々の機能要素を有するものとして示されているが、機能要素のうち１つ以上は結合されてもよく、デジタルシグナルプロセッサ（DSP）及び／又は他のハードウェア要素を含む処理要素のようなソフトウェアにより構成された要素の組み合わせにより実装されてもよい。例えば、いくつかの要素は、１つ以上のマイクロプロセッサ、DSP、フィールドプログラマブルゲートアレイ（FPGA）、特定用途向け集積回路（ASIC）、無線周波数集積回路（RFIC：radio-frequency  integrated  circuit）並びにここに記載の機能を少なくとも実行するための様々なハードウェア及び論理回路の組み合わせを含んでもよい。いくつかの実施例では、機能要素は、１つ以上の処理要素で動作する１つ以上のプロセスを示してもよい。
【００５８】
以下の例は、更なる実施例に関する。例１は、マスター局である。マスター局は、１つ以上のリソース割り当てを含むトリガーフレーム（TF）を生成するように構成された回路であり、１つ以上のリソース割り当てのそれぞれは、リソース割り当てが直交周波数分割多元アクセス（OFDMA）リソース割り当てであるか、マルチユーザ・マルチプル・インプット・マルチプル・アウトプット（MU-MIMO）リソース割り当てであるかの指示と、OFDMAグループ又はMU-MIMOグループのいずれかのアイデンティティとを含む回路を含んでもよい。各リソース割り当ては、OFDMAリソース割り当ての帯域幅又はMU-MIMOリソース割り当ての帯域幅の指示を含んでもよい。回路は、TFを送信するように構成されてもよい。
【００５９】
例２では、例１の対象物は、回路が、マスター局により取得された送信機会内に複数の局からの同時の上りリンク送信／複数の局への同時の下りリンク送信を開始するために、TFを複数のHEW局に送信するように構成され、TFは、送信機会の持続時間の指示を含むことを任意選択で含んでもよい。
【００６０】
例３では、例１又は２の対象物は、各OFDMAリソース割り当てが、１つ以上のHEW局のアドレスの１つ以上の指示と、対応するHEW局のOFDMAサブチャネルリソース割り当ての１つ以上の指示とを含むことを任意選択で含んでもよい。
【００６１】
例４では、例３の対象物は、各OFDMAリソース割り当てが、OFDMAリソース割り当てにおいて割り当てられた20MHzサブチャネルの数を示す20MHz割り当てサブフィールドを更に含むことを任意選択で含んでもよい。
【００６２】
例５では、例３の対象物は、対応するHEW局のOFDMAサブチャネルリソース割り当ての１つ以上の指示が、対応するHEW局のOFDMAサブチャネルリソース割り当てが最終であるか否か、或いはOFDMAサブチャネルリソース割り当ての１つ以上の指示が、対応するHEW局の更なるOFDMAサブチャネルリソース割り当てを含むか否かの指示を更に含むことを任意選択で含んでもよい。
【００６３】
例６では、例４の対象物は、対応するHEW局のOFDMAサブチャネルリソース割り当ての１つ以上の指示が、20MHzサブチャネルの数の位置の指示を更に含むことを任意選択で含んでもよい。
【００６４】
例７では、例４の対象物は、対応するHEW局のOFDMAサブチャネルリソース割り当ての１つ以上の指示が、対応するHEW局のOFDMAサブチャネルリソース割り当ての１つ以上の指示の基本リソース単位が26トーンであるか242トーンであるかの指示を更に含むことを任意選択で含んでもよい。
【００６５】
例８では、例４の対象物は、対応するHEW局のOFDMAサブチャネルリソース割り当ての１つ以上の指示が、20MHzサブチャネルの数の中の対応するHEW局に割り当てられた最後のサブチャネルの指示を更に含むことを任意選択で含んでもよい。
【００６６】
例９では、例４の対象物は、20MHz割り当てサブフィールドが、OFDMAサブチャネルリソース割り当ての帯域幅を更に示すことを任意選択で含んでもよい。
【００６７】
例１０では、例９の対象物は、20MHz割り当てサブフィールドが、ゼロ個の20MHzサブチャネルがOFDMAリソース割り当てにおいて割り当てられること、１つの20MHzサブチャネルがOFDMAリソース割り当てにおいて割り当てられること、２つの20MHzサブチャネルがOFDMAリソース割り当てにおいて１つ以上のHEW局のうち１つ又は２つのHEW局に割り当てられること、及び３つの20MHzサブチャネルがOFDMAリソース割り当てにおいて１つ以上のHEW局のうち１つ又は複数のHEW局に割り当てられることを含むグループのうち１つを示すことを任意選択で含んでもよい。
【００６８】
例１１では、例３の対象物は、各OFDMAリソース割り当てが、対応するHEW局のOFDMAサブチャネルリソース割り当ての１つ以上の指示が前のHEW局のリソース割り当てと同じリソース割り当てであるか否かの指示を更に含むことを任意選択で含んでもよい。
【００６９】
例１２では、例１又は２の対象物は、各OFDMAリソース割り当てが、１つ以上のHEW局のアドレスの１つ以上の指示と、対応するHEW局のOFDMAサブチャネルリソース割り当ての幅の１つ以上の指示とを含むことを任意選択で含んでもよい。
【００７０】
例１３では、例１２の対象物は、各OFDMAリソース割り当てが、OFDMAリソース割り当てが80MHzの単一のHEW局のためのものであるか、それぞれ80MHz未満の複数のHEW局のためのものであるかの指示を更に含むことを任意選択で含んでもよい。
【００７１】
例１４では、例１３の対象物は、各OFDMAリソース割り当てが、対応するHEW局のOFDMAサブチャネルリソース割り当ての帯域幅と共に位置の指示を更に含むことを任意選択で含んでもよい。
【００７２】
例１５では、例１又は２の対象物は、TFが、カウントダウン又は次のTFまでの時間を更に含み、カウントダウンは、送信機会のグループにおける残りの送信機会の数を示し、次のTFまでの時間は、いつ次のTFが送信されるかを示すことを任意選択で含んでもよい。
【００７３】
例１６では、例１又は２の対象物は、マスター局が、アクセスポイント、IEEE（Institute  of  Electrical  and  Electronic  Engineers）802.11アクセスポイント、IEEE802.11局、IEEE802.11axアクセスポイント及びIEEE802.11ax局を含むグループのうち１つであることを任意選択で含んでもよい。
【００７４】
例１７では、例１又は２の対象物は、各リソース割り当てが、１つ以上のHEW局の数の指示を含むことを任意選択で含んでもよい。
【００７５】
例１８では、例１の対象物は、回路に結合されたメモリと、回路に結合された１つ以上のアンテナとを任意選択で含んでもよい。
【００７６】
例１９は、アクセスポイント（AP）により実行される方法である。この方法は、１つ以上のリソース割り当てを含むトリガーフレーム（TF）を生成するステップであり、１つ以上のリソース割り当てのそれぞれは、リソース割り当てが直交周波数分割多元アクセス（OFDMA）リソース割り当てであるか、マルチユーザ・マルチプル・インプット・マルチプル・アウトプット（MU-MIMO）リソース割り当てであるかの指示と、OFDMAグループ又はMU-MIMOグループのいずれかのアイデンティティとを含み、各リソース割り当ては、OFDMAリソース割り当ての帯域幅又はMU-MIMOリソース割り当ての帯域幅の指示を含むステップを含んでもよい。この方法は、TFを送信するステップを含んでもよい。
【００７７】
例２０では、例１９の対象物は、送信するステップが、マスター局により取得された送信機会内に複数の局からの同時の上りリンク送信／複数の局への同時の下りリンク送信を開始するために、TFを複数のHEW局に送信するステップであり、TFは、送信機会の持続時間の指示を含むことを任意選択で含んでもよい。
【００７８】
例２１では、例１９又は２０の対象物は、送信するステップが、マスター局により取得された送信機会内に複数の局からの同時の上りリンク送信／複数の局への同時の下りリンク送信を開始するために、TFを複数のHEW局に送信するステップであり、TFは、送信機会の持続時間の指示を含むことを任意選択で含んでもよい。例２１では、例１９の方法は、各OFDMAリソース割り当てが、１つ以上のHEW局のアドレスの１つ以上の指示と、対応するHEW局のOFDMAサブチャネルリソース割り当ての１つ以上の指示とを含むことを任意選択で含んでもよい。
【００７９】
例２２は、局である。局は、１つ以上のリソース割り当てを含むトリガーフレーム（TF）をマスター局から受信するように構成され、１つ以上のリソース割り当てのそれぞれは、リソース割り当てが直交周波数分割多元アクセス（OFDMA）リソース割り当てであるか、マルチユーザ・マルチプル・インプット・マルチプル・アウトプット（MU-MIMO）リソース割り当てであるかの指示と、OFDMAグループ又はMU-MIMOグループのいずれかのアイデンティティとを含み、各リソース割り当ては、OFDMAリソース割り当ての帯域幅又はMU-MIMOリソース割り当ての帯域幅の指示を含み、TFに従ってデータをマスター局に送信するように構成された回路を含んでもよい。
【００８０】
例２３では、例２２の対象物は、各OFDMAリソース割り当てが、１つ以上のHEW局のアドレスの１つ以上の指示と、対応するHEW局のOFDMAサブチャネルリソース割り当ての１つ以上の指示とを含むことを任意選択で含んでもよい。
【００８１】
例２４では、例２２又は２３の対象物は、回路に結合されたメモリと、回路に結合された１つ以上のアンテナとを任意選択で含んでもよい。
【００８２】
例２５は、１つ以上のプロセッサによる実行のための命令を記憶した過渡的でないコンピュータ読み取り可能記憶媒体である。命令は、マスター局に対して、１つ以上のリソース割り当てを含むトリガーフレーム（TF）を生成させ、１つ以上のリソース割り当てのそれぞれは、リソース割り当てが直交周波数分割多元アクセス（OFDMA）リソース割り当てであるか、マルチユーザ・マルチプル・インプット・マルチプル・アウトプット（MU-MIMO）リソース割り当てであるかの指示と、OFDMAグループ又はMU-MIMOグループのいずれかのアイデンティティとを含み、各リソース割り当ては、OFDMAリソース割り当ての帯域幅又はMU-MIMOリソース割り当ての帯域幅の指示を含み、TFを送信させるように１つ以上のプロセッサを構成する。
【００８３】
例２６では、例２５の対象物は、各OFDMAリソース割り当てが、１つ以上のHEW局のアドレスの１つ以上の指示と、対応するHEW局のOFDMAサブチャネルリソース割り当ての１つ以上の指示とを含むことを任意選択で含んでもよい。
【００８４】
要約は、読者が技術的開示の本質及び要旨を確認することができるように提供されている。これが特許請求の範囲又は意味を限定又は解釈されるために使用されないという理解で提示されている。以下の特許請求の範囲は、各請求項が別々の実施例として独立して、詳細な説明に組み込まれる。
【図１】
0006732747.tif 000005
【図２】
0006732747.tif 000006
【図３】
0006732747.tif 000007
【図４】
0006732747.tif 000008
【図５】
0006732747.tif 000009
【図６】
0006732747.tif 000010
【図７】
0006732747.tif 000011
【図８】
0006732747.tif 000012